(57)【要約】【課題】  本発明は、日本拳法、逮捕術、空手等の徒手格闘技用の武道用防具に関するもので詳しくは金属製の棒材料などの硬質材料で格子状に構成された頭部保護用面防具に関するもので従来の面防具と比べて丈夫でかつ加工が容易なものを提供することを課題とする。【解決手段】  日本拳法、逮捕術、空手などの徒手格闘技用の練習及び試合に使用するための鉄鋼製の金属棒等の鋼材で格子状に構成されかつ打撃および蹴撃する際の衝撃を吸収するためのクッション部材を人体頭部の側面格子部分に固定する形式の面防具において、当該クッション部材を紐通し穴部を有する固定用具を用いて当該側面格子部分に固定することを特徴とする。【選択図】  図１
2008161403.tif 000002
【特許請求の範囲】
【請求項１】
日本拳法、逮捕術、空手などの徒手格闘技用の練習及び試合に使用するための鉄鋼製の金属棒等の鋼材で格子状に構成されかつ打撃および蹴撃する際の衝撃を吸収するためのクッション部材を人体頭部の側面格子部分に固定する形式の面防具において、当該クッション部材を紐通し穴部を有する固定用具を用いて当該側面格子部分に固定することを特徴とする武道用面防具。
【請求項２】
前記、固定用具が平板帯状でありかつその輪郭周辺部に前記紐通し部を連続的に設けていることを特徴とする請求項１に記載の武道用面防具。
【請求項３】
前記、固定用具が天然皮革や合成皮革などの伸縮性と弾力性を有するとともに強度を有する素材であることを特徴とする請求項１又は２に記載の武道用面防具。
【発明の詳細な説明】
【技術分野】
【０００１】
本発明は日本拳法、逮捕術、空手等の徒手格闘技用の武道用防具に関するもので、詳しくは鉄鋼、ステンレス、チタンなどの金属製の棒材料などの硬質材料で格子状に構成された頭部保護用面防具に関するものである。
【背景技術】
【０００２】
従来から使用されている日本拳法や逮捕術などの武道で使用されている面防具は、特に安全が必要な頭部を保護するものであり、金属製の棒材料で格子状に強固に構成された保護構造部材とその内側に木綿布袋に木綿綿を封入した衝撃吸収効果の低いクッション部材を固定したものである（非特許文献１〜４）。特に最近の製品としては、早川繊維工業製（九櫻）Ｒ２０８型日本拳法面、あるいは早川繊維工業（九櫻）Ｒ３００ＭＳＷ型日本拳法面などがある。
【０００３】
また、日本拳法や逮捕術等の競技においては人体において面や胴などの部分を打撃および蹴撃することによって競技上のポイントを獲得することができる。さらに、打撃および蹴撃した際の印象や効果の大きさから、選手は特に面部分への攻撃を多用する傾向にある。
【０００４】
このことから、面部分を保護するために強固な面防具を装着するのであるが、この様な強固な保護構造部材を打撃する際に当該保護構造部材から伝わる集中荷重から手指を保護するために手の関節と手背部分へクッションシートなどを使用した早川繊維工業（九櫻）Ｒ２００Ｋ型拳法グローブなどの武道用グローブが開発されている。
【０００５】
一方、競技上のルールによって当該武道用グローブで用いられているようなクッション部材を足の脛や足の甲などに装着することが認められていないため、回し蹴りなどの効果的な攻撃を頭部の側面格子部分に実施した場合、強固な面防具の保護構造部材を介して衝撃が頭部に伝わると共に蹴撃した足の部分にも負傷を生じる懸念があった。
【０００６】
そこで、従来の面防具においては、当該面防具の側面格子部分にクッション部材を固定することによって、蹴撃する足の部分を保護すると共に頭部へ伝わる衝撃を緩和させることを行ってきた。
【０００７】
しかし、従来の早川繊維工業製（九櫻）Ｒ２０８型日本拳法面、あるいは早川繊維工業（九櫻）Ｒ３００ＭＳＷ型日本拳法面などは、複雑な側面格子部分にクッション部材を皮革部材で覆って強固に縫い付けているため、その縫いつけ加工に多大な時間を有し、かつ使用の際に縫いつけ部分の糸に集中的に荷重がかかって亀裂が生じることによって破損する不具合の可能性が生じていた。
【０００８】
【非特許文献１】「日本拳法」澤山宗海著  毎日新聞社刊
【非特許文献２】「拳法教程」森良之祐著  原書房刊
【非特許文献３】「日本拳法教範Ｉ」石黒邦男著  圭文社刊
【非特許文献４】「絵説日本拳法」桟原富士男著  櫂歌書房刊
【発明の開示】
【発明が解決しようとする課題】
【０００９】
このような状況を鑑み、本発明者は、日本拳法、逮捕術、空手等の徒手格闘技用の武道用防具に関するもので、詳しくは金属製の棒材料などの硬質材料で格子状に構成された頭部保護用面防具に関するもので、従来の面防具と比べて丈夫でかつ加工が容易なものを提供することを課題とする。
【課題を解決するための手段】
【００１０】
本発明は、このような課題を解決するために成されたものであって、請求項１に記載の発明は、日本拳法、逮捕術、空手などの徒手格闘技用の練習及び試合に使用するための鉄鋼製の金属棒等の鋼材で格子状に構成されかつ打撃および蹴撃する際の衝撃を吸収するためのクッション部材を人体頭部の側面格子部分に固定する形式の面防具において、当該クッション部材を紐通し穴部を有する固定用具を用いて当該側面格子部分に固定することを特徴とする。
【００１１】
あらかじめ紐通し穴部を設けた板状の固定用具を、側面格子部分の鋼線に仮止めしたクッション部材を覆う様に巻き付け、当該固定用具の周辺部が接触するようにした場合、当該紐通し穴部が近接するために縫い付けの作業が容易になる。
【００１２】
さらに、先端の鋭利な針などを固定用具に強力に突き刺して糸を通す工程を省略することが可能となる。
【００１３】
また、固定用具に突き刺して糸を貫通させる必要がないことから、先端の丸い単なる引用のみの棒状用具を用いて固定用具に糸を通すことが可能となり、作業上の安全性を向上させることが可能となる。
【００１４】
さらに、当該紐通し穴部が固定用の糸の直径よりもわずかに大きい円形の形状である場合、強固に糸で結束した場合であっても糸にかかる荷重が穴部に集中して亀裂を発生させることが無く、固定用具の縫い付け部分の破損を防止することが可能になる。
【００１５】
さらに、当該紐通し穴部のみを帯状部材で補強することによって、紐通し穴部の伸縮性を低下させ、糸で強固に結束した場合であっても糸にかかる荷重が固定用具の紐通し穴部に集中して亀裂を発生することを防止し、ひいては固定用具の縫い付け部分の破損を防止することが可能になる。
【００１６】
なお、当該紐通し穴部を補強する部材は、材料の伸縮性の差によるひずみを防止する観点から固定用具と同じ材質のものが好ましい。
【００１７】
さらに、請求項２に記載の発明は、前記、固定用具が平板帯状でありかつその輪郭周辺部に前記紐通し穴部を連続的に設けていることを特徴とする。
【００１８】
この様に、固定用具に固定用の穴を連続的に設置している場合、クッション部材を覆った際に接合する固定用具の輪郭周辺部分がずれた場合であっても、任意の穴部を利用して糸を通すことによって固定することが可能となり、作業性が格段に向上する。
【００１９】
さらに、請求項３に記載の発明は、前記、固定用具が天然皮革や合成皮革などの伸縮性と弾力性を有するとともに強度を有する素材であることを特徴とする。
【００２０】
前記、固定用具に天然皮革や合成皮革などの伸縮性を有する素材を用いた場合、クッション部材を覆う位置がずれたときであっても、あるいは締め付けの力を微妙に変化した場合においても固定用具に皺がよることなく、かつ安定してクッション部材を締め付けて固定することが可能となる。
【発明の効果】
【００２１】
以上のように本発明は、クッション部材を、紐通し穴部を有する固定用具を用いて面防具の側面格子部分に糸を用いて強固に締め付けた場合であっても固定用具を破損することがない。
【００２２】
さらに、固定用具に針を通してクッション部材を固定する工程を省略し、単に引用具を用いて糸を穴部に容易に貫通することができ、作業効率が格段に向上するという効果が発揮される。
【００２３】
さらに、過酷な使用条件によって固定用具を固定している糸が切れて外れた場合であっても縫い付けの加工が容易であるため、選手自身が容易に補修し、あるいは新品と交換することが可能となる。
【発明を実施するための最良の形態】
【００２４】
本発明の実施形態は日本拳法、逮捕術、空手等の徒手格闘技用の武道用防具に関するもので、詳しくは鉄鋼製の金属棒などの硬質材料で格子状に構成された頭部保護用面防具として実施されるものである。
【００２５】
特に、面防具の保護構造部材が金属鋼線で構成されている日本拳法および逮捕術の競技用の防具としての面防具に関して実施される。
【実施例】
【００２６】
以下、具体的に図面に従って本発明からなる武道用防具について説明する。
【００２７】
（実施例１）
本実施例は、日本拳法用の面防具にクッション部材を設置するための固定用具である。図１に概要を、図２に装着の様子を示す。
【００２８】
具体的には、先ず始めにクッション部材として、８ｍｍ厚の羊毛フェルトを側面格子部分に設置して粘着テープで仮止めした。続いて、周辺に直径２ｍｍの穴を６ｍｍ間隔で連続的に開口した１ｍｍ厚の牛皮革製固定用具（図１）で覆い、その周辺部分を接触させて穴部が近接する部分にテトロン糸を通して縛り付けて固定した（図２）。
【００２９】
尚、本実施例においては、紐通し穴部の強度をさらに増すため、固定用具の外周に幅が１ｃｍでかつ厚みが１ｍｍの牛皮革を連続的に縫いつけて補強したものを用いた。
【００３０】
実際に当該面防具を装着して徳島大学日本拳法部員と同部ＯＢの十数人が日本拳法の防具練習を行った結果、従来の面防具と比べてなんら競技上の違和感はなく、さらに長期使用や蹴撃を多用する場合においても破損することが無く、継続的に安全に練習出来るとの評価があった。
【産業上の利用可能性】
【００３１】
本発明は、武道用防具の内、継続的に安全性を維持し、かつ加工の容易な面防具を提供するために成されたものであるが、武道用面防具に限定されず、野球、アメリカンフットボールなどの鋼線を利用する安全保護防具全体に応用することが可能である。
【図面の簡単な説明】
【００３２】
【図１】一実施例としての固定用具
【図２】一実施例としての固定用具を用いてクッション部材を固定した面防具
【符号の説明】
【００３３】
１１．固定用具
１２．紐通し穴部
【図１】
2008161403.tif 000003
【図２】
2008161403.tif 000004